(57)【要約】【課題】ペルチェ素子を利用して、利用者の身体に優しい冷暖房を実現可能な建物の壁、床又は天井の構造を提供する。【解決手段】建物の壁、床又は天井の構造が、第１の板と、第１の板より屋内側に、第１の板に対向して配置され、且つ、開口部を有する第２の板と、第２の板より屋内側に、第２の板に対向して配置された第３の板と、第２の板の開口部に配置され、且つ、電源に接続されることにより第２の板の厚さ方向に熱移動するように配置されたペルチェ素子と、第２の板と第３の板との間に配置された蓄熱部材と、を具備する。【選択図】図３
2015203520.tif 000002
【特許請求の範囲】
【請求項１】
第１の板と、
前記第１の板より屋内側に、前記第１の板に対向して配置され、且つ、開口部を有する第２の板と、
前記第２の板より屋内側に、前記第２の板に対向して配置された第３の板と、
前記第２の板の開口部に配置され、且つ、電源に接続されることにより前記第２の板の厚さ方向に熱移動するように配置されたペルチェ素子と、
前記第２の板と前記第３の板との間に配置された蓄熱部材と、
を具備する、建物の壁、床又は天井の構造。
【請求項２】
第１の板と、
前記第１の板より屋内側に、前記第１の板に対向して配置され、且つ、開口部を有する第２の板と、
前記第２の板より屋内側に、前記第２の板に対向して配置された第３の板と、
前記第３の板より屋内側に、前記第３の板に対向して配置された第４の板と、
前記第２の板の開口部に配置されており、且つ、電源に接続されることにより前記第２の板の厚さ方向に熱移動するように配置されたペルチェ素子と、
前記第３の板と前記第４の板との間に配置された蓄熱部材と、
を具備する、建物の壁、床又は天井の構造。
【請求項３】
前記第１の板と前記第２の板との間に空気流を発生させる第１の空気流発生装置と、
前記第２の板と前記第３の板との間に空気流を発生させる第２の空気流発生装置と、
をさらに具備する、請求項１又は請求項２記載の建物の壁、床又は天井の構造。
【請求項４】
前記第１の空気流発生装置及び前記第２の空気流発生装置が、前記ペルチェ素子を挟んで対向して配置され、前記ペルチェ素子に向けて、前記第２の板の厚さ方向に空気流を発生させる、請求項３記載の建物の壁、床又は天井の構造。
【請求項５】
前記第２の板に沿って、金属の層を含む熱反射シートが配置された、請求項１又は請求項２記載の建物の壁、床又は天井の構造。
【請求項６】
前記蓄熱部材は、前記第２の板の厚さ方向に貫通した複数の孔を有するセラミックの構造体を含む、請求項１又は請求項２記載の建物の壁、床又は天井の構造。
【請求項７】
前記第１の板に形成された第１の開口に接続され、前記第１の板と前記第２の板との間の空間を換気する第１の通気管と、
少なくとも前記第１の板に形成された第２の開口と前記第２の板に形成された第３の開口とに接続された第２の通気管と、
前記第２の通気管の内部に位置し、前記第２の板の厚さ方向に貫通した複数の孔を有する蓄熱部材と、
をさらに具備する、請求項１又は請求項２記載の建物の壁、床又は天井の構造。
【発明の詳細な説明】
【技術分野】
【０００１】
本発明は、建物の壁、床又は天井の構造に関する。
【背景技術】
【０００２】
簡易な構造で冷房にも暖房にも適用できる効率的な冷暖房装置として、ペルチェ素子を用いたものが提案されている。一例として、下記の特許文献１には、ペルチェ素子と、ペルチェ素子の一方の吸放熱面に熱結合されて、建物の壁、床又は天井の室内側に配設される放熱吸熱室内プレートと、を備える冷暖房装置が記載されている。
【０００３】
しかしながら、室内プレートの熱伝導率には限界があるため、特許文献１の構成においては、壁や床の室内側のペルチェ素子に近接した特定部分のみがペルチェ素子によって極端に加熱又は冷却される可能性がある。壁や床の室内側の特定部分のみが極端に高温又は低温になると、利用者に不快感を与える可能性がある。また、消費エネルギーに対する冷暖房効率の点でも問題がある。
【先行技術文献】
【特許文献】
【０００４】
【特許文献１】特開２００３−２４０２５５号公報
【発明の概要】
【発明が解決しようとする課題】
【０００５】
本発明は、ペルチェ素子を利用して、利用者の身体に優しくエネルギー効率の良い冷暖房を実現可能な建物の壁、床又は天井の構造を提供することを課題とする。
【課題を解決するための手段】
【０００６】
上述の課題を解決するため、本発明の１つの観点に係る建物の壁、床又は天井の構造は、例えば図３〜図５に示されるように、第１の板と、第１の板より屋内側に、第１の板に対向して配置され、且つ、開口部を有する第２の板と、第２の板より屋内側に、第２の板に対向して配置された第３の板と、第２の板の開口部に配置され、且つ、電源に接続されることにより第２の板の厚さ方向に熱移動するように配置されたペルチェ素子と、第２の板と第３の板との間に配置された蓄熱部材と、を具備する。
【０００７】
本発明の他の１つの観点に係る建物の壁、床又は天井の構造は、例えば図１及び図２に示されるように、第１の板と、第１の板より屋内側に、第１の板に対向して配置され、且つ、開口部を有する第２の板と、第２の板より屋内側に、第２の板に対向して配置された第３の板と、第３の板より屋内側に、第３の板に対向して配置された第４の板と、第２の板の開口部に配置されており、且つ、電源に接続されることにより第２の板の厚さ方向に熱移動するように配置されたペルチェ素子と、第３の板と第４の板との間に配置された蓄熱部材と、を具備する。
【図面の簡単な説明】
【０００８】
【図１】本発明の第１の実施形態に係る建物の床の構造を示す断面図である。
【図２】図１に示される床の構造を示す平面図である。
【図３】本発明の第２の実施形態に係る壁の構造を示す。図３（Ａ）は断面図であり、図３（Ｂ）は正面図である。
【図４】本発明の第３の実施形態に係る壁の構造を示す。図４（Ａ）は断面図であり、図４（Ｂ）は正面図である。
【図５】本発明の第４の実施形態に係る壁の構造を示す断面図である。
【図６】図５の変形例を示す断面図である。
【発明を実施するための形態】
【０００９】
以下、本発明の実施形態について詳細に説明する。以下に説明する実施形態は、本発明の１つの例を示すものであって、特許請求の範囲に記載された本発明の内容を不当に限定するものではない。また、実施形態で説明される構成及び動作の全てが本発明の構成及び動作として必須であるとは限らない。また同一の構成要素には同一の参照符号を付けて、重複する説明を省略する。
【００１０】
＜１．第１の実施形態＞
図１は、本発明の第１の実施形態に係る建物の床の構造を示す断面図である。図１（Ａ）は、冬期に行われる暖房モードを示し、図１（Ｂ）は、夏期に行われる冷房モードを示す。図２は、図１に示される床の構造を示す平面図である。
【００１１】
図１に示されるように、第１の実施形態に係る建物の床の構造は、第１の板１１と、第２の板１２と、第３の板１３と、第４の板１４と、蓄熱部材２０と、ペルチェユニット３０と、を具備している。ペルチェユニット３０は、ペルチェ素子１５と、送風ファン３１と、送風ファン３２と、モーター３３と、モーター３４とを含む。
【００１２】
第１の板１１は、基礎（図示せず）と根太１６との間に配置された板であり、第１の板１１より下は床下空間となっている。本明細書において、床下空間は屋外に属するものとして説明する。
【００１３】
第２の板１２は、第１の板１１より上（屋内側）に、第１の板１１に対向して配置されている。第２の板１２は、開口部を有しており、この開口部にペルチェ素子１５が嵌め込まれている。ペルチェ素子１５は、直流電源に接続されることにより第２の板１２の厚さ方向（上下方向）に熱移動するように配置されている。
【００１４】
第３の板１３は、第２の板１２より上（屋内側）に、第２の板１２に対向して配置されている。
第４の板１４は、第３の板１３より上（屋内側）に、第３の板１３に対向して配置されている。第４の板１４は、例えばフローリングを構成する板であってもよい。
【００１５】
蓄熱部材２０は、第３の板１３と第４の板１４との間に配置されている。蓄熱部材２０は、潜熱蓄熱部材であってもよい。潜熱蓄熱部材は、例えば、固相と液相との間の相変化において、一定の温度を保ちつつ大量の熱を吸収又は放出する部材である。例えば、相変化温度が約２０℃である潜熱蓄熱部材を用いた場合には、外部の気温が２５℃から１５℃に変化したときでも、潜熱蓄熱部材は２０℃未満になりにくく、長時間にわたって約２０℃の状態を維持できる。あるいは、蓄熱部材２０は、顕熱蓄熱部材であってもよい。顕熱蓄熱部材として、セラミックスが用いられてもよい。セラミックスは、ムライト、コージライト、ジルコニア、ＳｉＣ、ゼオライト、シラスのうちのいずれかを含むものが好ましい。あるいは、蓄熱部材２０は、化学蓄熱部材であってもよい。
【００１６】
ペルチェ素子１５は、直流電源（図示せず）に接続されることにより、一方の面から他方の面への熱移動を行う。上記一方の面が吸熱面（低温）となり、上記他方の面が放熱面（高温）となる。直流電源によるペルチェ素子１５への印加電圧の極性を反転させることにより、吸熱面と放熱面とを入れ替えることができる。図１（Ａ）は、上側を放熱面とすることにより冬期の暖房を実現する場合を示し、図１（Ｂ）は、上側を吸熱面とすることにより夏期の冷房を実現する場合を示している。ペルチェ素子１５は、放熱面及び吸熱面となる面に複数のひだ（図示せず）を有していてもよい。
【００１７】
第１の空気流発生装置としての送風ファン３１は、第１の板１１と第２の板１２との間に、ペルチェ素子１５に近接して配置されている。第２の空気流発生装置としての送風ファン３２は、第２の板１２と第３の板１３との間に、ペルチェ素子１５に近接して配置されている。送風ファン３１は、モーター３３に連結され、送風ファン３２は、モーター３４に連結されている。モーター３３及び３４がそれぞれ送風ファン３１及び３２を回転させることにより、送風ファン３１及び３２は、ペルチェ素子１５の吸熱面の付近と放熱面の付近とに空気流を発生させる。空気流により、ペルチェ素子１５の吸熱面による吸熱が促進され、放熱面による放熱が促進される。
【００１８】
第１の実施形態においては、送風ファン３１及び３２が、第２の板１２に対する平面視でペルチェ素子１５と重なる位置に、ペルチェ素子１５を挟んで配置され（図２参照）、且つ、送風ファン３１及び３２が第２の板１２の厚さ方向と平行な方向に空気流を発生させるように配置されている。これによれば、送風ファン３１及び３２がペルチェ素子１５に強い空気流を当てることができる。送風ファン３１は、送風ファン３２よりも大きく、送風能力の高いファンであることが望ましい。
【００１９】
図１（Ａ）に示されるように上側を放熱面とした場合は、第２の板１２と第３の板１３との間の空間が、ペルチェ素子１５により暖められる。そして、第３の板１３を介した熱伝導により、蓄熱部材２０に熱が供給され、蓄熱部材２０に熱が蓄えられる。蓄熱部材２０に蓄えられた熱は、時間をかけて床上空間に放出され、床上空間の暖房が実現される。第１の実施形態による暖房は、温風の発生による暖房効果よりも、蓄熱部材２０から床上空間への輻射による暖房効果を主としている。このような輻射による暖房効果により、利用者の身体への悪影響が小さく身体に優しい暖房を実現できる。また、ペルチェ素子１５を用いた暖房は、電流によって発生するジュール熱だけでなく、吸熱面において吸収した熱も用いているので、小さなエネルギーで高い暖房効果を得ることができる。
【００２０】
図１（Ａ）において、第１の板１１と第２の板１２との間の空間は、ペルチェ素子１５により冷却される。第１の板１１と第２の板１２との間の空間に、温度センサー（図示せず）が設けられてもよく、床下空間にも、別の温度センサー（図示せず）が設けられてもよい。第１の板１１と第２の板１２との間の空間の温度が、床下空間の温度より低くなった場合には、第１の板１１に設けられた換気口（図示せず）を開いて、第１の板１１と第２の板１２との間の空間を換気してもよい。第１の板１１と第２の板１２との間の空間を強制的に排気する送風ファン３５が設けられてもよい。送風ファン３５は、第１の板１１と第２の板１２との間の空間における空気の循環を助けるものであってもよい。
【００２１】
第１の板１１と第２の板１２との間隔は、第２の板１２と第３の板１３との間隔よりも大きくなっている。これにより、第１の板１１と第２の板１２との間の空間とペルチェ素子１５との間の熱移動を効率よく行うことができる。
【００２２】
第２の板１２と第３の板１３との間の空間には、温度センサー（図示せず）が設けられてもよく、床上空間にも、別の温度センサー（図示せず）が設けられてもよい。第２の板１２と第３の板１３との間の空間の温度が、床上空間の温度より十分に高くなった場合には、給気口（図示せず）を開いて、第２の板１２と第３の板１３との間の空間から床上空間に暖気を供給してもよい。
【００２３】
図１（Ｂ）に示されるように上側を吸熱面とした場合は、第２の板１２と第３の板１３との間の空間が、ペルチェ素子１５により冷却される。そして、蓄熱部材２０に蓄えられていた熱は、第３の板１３を介した熱伝導により、第２の板１２と第３の板１３との間の空間に放熱される。これにより、蓄熱部材２０が冷却され、床上空間の冷房が実現される。第１の実施形態による冷房は、冷風の発生による冷房効果よりも、蓄熱部材２０から床上空間への輻射が小さいことによる冷房効果を主としている。輻射が小さいことによる冷房効果とは、次のような意味である。あらゆる物体は、その温度と放射率とに応じて輻射熱を発しているが、物体から身体に向けて発せられる輻射熱が小さい場合には、身体に冷房効果が得られる。この冷房効果は、例えば、トンネルの内部とトンネルの外部とで気温が同じであっても、トンネルの内部では涼しく感じられるのと同じ原理による。このような、輻射が小さいことによる冷房効果により、利用者の身体への悪影響が小さく身体に優しい冷房を実現できる。また、ペルチェ素子１５を用いた冷房は、同じ気温でも涼しく感じられるので、小さなエネルギーで高い冷房効果を得ることができる。
【００２４】
図１（Ｂ）において、第１の板１１と第２の板１２との間の空間は、ペルチェ素子１５により加熱される。第１の板１１と第２の板１２との間の空間の温度が、床下空間の温度より高くなった場合には、第１の板１１に設けられた換気口（図示せず）を開き、必要に応じて送風ファン３５を稼働させて、第１の板１１と第２の板１２との間の空間を換気してもよい。
【００２５】
上述のように、第１の板１１と第２の板１２との間隔は、第２の板１２と第３の板１３との間隔よりも大きくなっている。これにより、第１の板１１と第２の板１２との間の空間とペルチェ素子１５との間の熱移動を効率よく行うことができる。
【００２６】
ペルチェ素子１５は、吸熱面において吸熱する熱量よりも、放熱面において放熱する熱量が約１．５倍となるので、夏期の冷房運転時には、放熱面から効率的に放熱させることが必要である。本実施形態によれば、第１の板１１と第２の板１２との間隔は、第２の板１２と第３の板１３との間隔の１．２倍以上、２．５倍以下とされ、好ましくは、１．５倍とされる。さらに、送風ファン３１は、送風ファン３２よりも大きく、送風能力の高いファンとされる。これにより、夏期の冷房運転時には、放熱面から効率的に放熱させることができる。第１の板１１を取り外し、第２の板１２より下の空間を床下としてもよい。
【００２７】
第２の板１２と第３の板１３との間の空間の温度が、床上空間の温度より低くなった場合には、給気口（図示せず）を開いて、第２の板１２と第３の板１３との間の空間から床上空間に冷気を供給してもよい。
【００２８】
＜２．第２の実施形態＞
図３は、本発明の第２の実施形態に係る壁の構造を示す。図３（Ａ）は断面図であり、図３（Ｂ）は正面図である。第２の実施形態においては、蓄熱部材２２が、第２の板１２と第３の板１３との間の空間において、第３の板１３に取り付けられている。第４の板１４（図１）は、なくてもよい。第３の板１３と第４の板との間に配置された蓄熱部材２０（図１）も、なくてもよい。第３の板１３の屋内側の面には、内装仕上材１３ａが塗布されている。また、第１の板１１の屋外側の面には、外装仕上材１１ａが、第１の板１１と間隔を空けて、第１の板１１と対向して設けられている。第１の板１１と外装仕上材１１ａとの間の空間には、断熱材（図示せず）が配置されていてもよい。第１の板１１と第３の板１３との間の空間には、柱１９が配置されていてもよい。
【００２９】
蓄熱部材２２としては、顕熱蓄熱部材である珪藻土と漆喰とシラスとの混合物に、小石程度の大きさのカプセルに封入された化学蓄熱部材が練り込まれたものが、用いられてもよい。なお、シラスは、マグマが岩石となる前に粉末となった物質である。シラスは、九州南部一帯の地層から採取することができる。珪藻土と漆喰とシラスとの混合物は、湿度調節機能や、有害ガス又は臭気の吸収機能にも優れている。例えば、第３の板１３に型枠２２ａを取り付け、この型枠２２ａの内側に、珪藻土と漆喰とシラスとの混合物を塗り付けて乾燥させることにより、蓄熱部材２２を施工してもよい。また、珪藻土と漆喰とシラスとの混合物を、内装仕上材１３ａとして用いることにより、内装仕上材１３ａに、蓄熱機能、湿度調節機能、及び、有害ガス又は臭気の吸収機能を発揮させてもよい。
【００３０】
図３において、蓄熱部材２２が第３の板１３に取り付けられているが、蓄熱部材２２は、第２の板１２と第３の板１３との間の空間において、第２の板１２に取り付けられてもよい。また、蓄熱部材２２は、第２の板１２と第３の板１３との両方に接していてもよい。
他の点については、第１の実施形態に示された床の構造と同様である。
【００３１】
＜３．第３の実施形態＞
図４は、本発明の第３の実施形態に係る壁の構造を示す。図４（Ａ）は断面図であり、図４（Ｂ）は正面図である。第３の実施形態においては、第３の板１３の屋内側の面には、内装仕上材１３ｂが、第３の板１３と間隔を空けて、第３の板１３と対向して設けられている。また、第１の板１１の屋外側の面には、外装仕上材１１ｂが、第１の板１１と間隔を空けて、第１の板１１と対向して設けられている。
【００３２】
第３の板１３には、開口１３ｘが形成されている。この開口１３ｘにより、暖房運転時には暖気が、冷房運転時には冷気が、第３の板１３と内装仕上材１３ｂとの間の空間に流入することができる。第３の板１３と内装仕上材１３ｂとの間の空間に流入した暖気又は冷気は、内装仕上材１３ｂに形成される別の開口（図示せず）を介して、屋内の空間に流入できるようになっていてもよい。暖気又は冷気が屋内に流入しても、内装仕上材１３ｂによって空気流が和らげられるので、空気流による身体への悪影響を低減することができる。
【００３３】
蓄熱部材２３、２４及び２５が、第２の板１２と第３の板１３との間の空間に配置されていてもよい。蓄熱部材２３、２４及び２５は、互いに異なる相転移温度を有している。例えば、蓄熱部材２３は、夏期の冷房の設定温度として推奨される２８℃付近に相転移温度を有していてもよい。また、蓄熱部材２４は、冬期の暖房の設定温度として推奨される２０℃付近に相転移温度を有していてもよい。また、蓄熱部材２５は、夏期と冬期とに共用できるように、２４℃付近に相転移温度を有していてもよい。例えば、パラフィンを含む潜熱蓄熱部材を用いる場合に、パラフィンの炭素数を選択することによって、所望の相転移温度を得ることができる。
【００３４】
そして、夏用の蓄熱部材２３は上方に、冬用の蓄熱部材２４は下方に配置されることが望ましい。共用の蓄熱部材２５は、蓄熱部材２３と蓄熱部材２４との間の位置に配置されてもよいし、複数の蓄熱部材２３の間と、複数の蓄熱部材２４の間との両方に配置されてもよい。
【００３５】
第１の板１１及び外装仕上材１１ｂには、それぞれ開口が形成されている。第１の板１１と外装仕上材１１ｂとの間には、第１の板１１の開口と外装仕上材１１ｂの開口とを接続する通気管１１ｃが設けられている。通気管１１ｃにより、第１の板１１と第２の板１２との間の空間を換気することができる。
【００３６】
第２の板１２の両面には、断熱材１２ａ及び１２ｂが配置されてもよい。これにより、ペルチェ素子１５の作用によって形成された第２の板１２の両面の温度差が、第２の板１２における熱伝導によって失われることを抑制できる。
あるいは、符号１２ａ及び１２ｂで示されるものは、それぞれ除湿シートであってもよい。これにより、第２の板１２の両面の温度差により結露が生じても、その悪影響を抑制できる。除湿シートは、第１の板１１や第３の板１３に貼り付けられてもよい。
あるいは、符号１２ａ及び１２ｂで示されるものは、熱反射シートであってもよい。これにより、例えば冬季の暖房時に、蓄熱部材２４又は蓄熱部材２５から放射される輻射熱を屋内側に反射することができる。熱反射シートは、符号１２ｂで示されるように、第２の板１２の第３の板１３側の面に配置されることが特に望ましい。熱反射シートは、アルミニウムなどの金属の薄膜層を含むシートであることが望ましい。
他の点については、第２の実施形態と同様とすることができる。
【００３７】
＜４．第４の実施形態＞
図５は、本発明の第４の実施形態に係る壁の構造を示す断面図である。第４の実施形態においては、換気装置４０が設けられている。外装仕上材１１ｂ、第１の板１１、第２の板１２、第３の板１３及び内装仕上材１３ｂには、それぞれ開口が形成されている。換気装置４０は、スリーブ管４２を含む。スリーブ管４２は、外装仕上材１１ｂの開口から内装仕上材１３ｂの開口までの各開口を接続している。スリーブ管４２は、第１の板１１の開口から第２の板１２の開口まで又は第３の板１３の開口までの各開口を接続するものであってもよい。
【００３８】
スリーブ管４２の内部には、送風ファン３７と、多孔蓄熱部材３８とが設けられている。多孔蓄熱部材３８は、屋内側と屋外側との間で貫通した多数の孔を有する。多孔蓄熱部材３８は、例えばハニカム状、すなわち多数の六角形の孔を有する構造体である。このような多孔蓄熱部材３８は、例えばセラミックスで構成される。
【００３９】
送風ファン３７は、モーター３９に連結されている。モーター３９は、第１の回転方向と、第１の回転方向と反対の第２の回転方向とに、回転方向を一定時間ごとに切り換えて送風ファン３７を回転させることができるようになっている。上記一定時間は、例えば、１分から３分程度である。
【００４０】
換気装置４０において、１分から３分程度の間、モーター３９が送風ファン３７を第１の回転方向に回転させると、スリーブ管４２を通して、屋内から屋外へ排気が行われる。このとき、暖房運転時であれば、多孔蓄熱部材３８を通過する空気の熱の一部が多孔蓄熱部材３８に蓄えられる。次に、１分から３分程度の間、モーター３９が送風ファン３７を第２の回転方向に回転させると、スリーブ管４２を通して、屋外から屋内へ給気が行われる。このとき、多孔蓄熱部材３８を通過する空気が、多孔蓄熱部材３８に蓄えられている熱によって加熱される。これを繰り返すことにより、熱交換を行いながら屋内の空気を換気することができる。冷房運転時であれば、熱の移動方向が逆になるが、熱交換を行いながら屋内の空気を換気できる点は同様である。
【００４１】
スリーブ管４２の内部及び通気管１１ｃの内部には、それぞれ、邪魔板３６が配置されている。邪魔板３６は、屋外における突風により壁の内部の構造体が損傷されることを防止する効果がある。
【００４２】
第３の板１３及び内装仕上材１３ｂには、それぞれ開口が形成されている。第３の板１３と内装仕上材１３ｂとの間には、第３の板１３の開口と内装仕上材１３ｂの開口とを接続する通気管１３ｃが設けられている。通気管１３ｃにより、暖房運転時には暖気が、冷房運転時には冷気が、屋内に流入することができる。
【００４３】
第４の実施形態においては、屋内の空気、あるいは、第２の板１２と第３の板１３との間の空気を、屋外の空気との間で熱交換しながら換気する場合について説明したが、温度の異なる屋内同士を換気してもよい。例えば、居室と廊下とを隔てる壁又はドアに換気装置４０を取り付け、居室と廊下との間で熱交換しながら換気してもよい。
【００４４】
他の点については、第３の実施形態と同様とすることができる。なお、図５には第２の板１２と第３の板１３との間に蓄熱部材２３のみが図示されているが、第３の実施形態において説明されたように、第２の板１２と第３の板１３との間に、蓄熱部材２４及び２５がさらに設けられていてもよい。
【００４５】
また、蓄熱部材２３、２４、２５として、多孔蓄熱部材３８のような多数の孔を有するセラミックスの構造体が用いられてもよい。この場合の多数の孔は、第２の板１２の厚さ方向に貫通する孔であることが望ましい。蓄熱部材２３、２４、２５が多数の孔を有する場合には、ペルチェ素子１５と蓄熱部材２３、２４、２５との間の熱交換の効率を高めることができる。また、多数の孔を有するセラミックスの構造体を用いることにより、蓄熱部材を含む壁の重量を低減することができる。
【００４６】
図６は、図５の変形例を示す断面図である。図６に示される変形例においては、換気装置４０が、スリーブ管４２の内部に、多孔蓄熱部材３８より屋内側に配置された送風ファン３７及びモーター３９だけでなく、多孔蓄熱部材３８より屋外側に配置された送風ファン３７ａ及びモーター３９ａを有していてもよい。送風ファン３７及びモーター３９に加えて送風ファン３７ａ及びモーター３９ａを有することにより、屋外において強い風が吹いている場合であっても、吸気及び排気を円滑に行うことができる。また、通気管１１ｃの内部に、送風ファン３７ａ及びモーターを有していてもよい。送風ファン３７ａ及びモーターを有することにより、屋外において強い風が吹いている場合であっても、吸気及び排気を円滑に行うことができる。
図５に示される第４の実施形態は、地上４階程度までの壁の構造として用いられ、図６に示される変形例は、地上５階程度以上の壁の構造として用いられてもよい。
【００４７】
＜５．その他＞
上述の説明において、第１の実施形態は床の構造、第２〜第４の実施形態は壁の構造を例にとって説明したが、本発明はこれに限定されるものではない。第１の実施形態の構造を、壁の構造に適用してもよい。また、第２〜第４の実施形態の構造を、床の構造に適用してもよい。また、第１〜第４の実施形態の構造を、天井の構造に適用してもよい。第１〜第４の実施形態の構造を天井の構造に適用する場合に、第１の実施形態における「床下」は天井裏に相当し、第１の実施形態における「床上」は屋内に相当する。また、第１〜第４の実施形態は、建物の床又は壁として固定された構造部分として説明したが、引き戸、吊り戸、あるいは開き戸などの可動な構造としてもよい。第１〜第４の実施形態は、一般住宅だけでなく、オフィスビルや、工場のクリーンルーム等にも適用できる。
【符号の説明】
【００４８】
１１…第１の板、１１ａ、１１ｂ…外装仕上材、１１ｃ…通気管、１２…第２の板、１２ａ、１２ｂ…断熱材、除湿シート、又は、熱反射シート、１３…第３の板、１３ａ、１３ｂ…内装仕上材、１３ｃ…通気管、１３ｘ…開口、１４…第４の板、１５…ペルチェ素子、１６…根太、１９…柱、２０、２２…蓄熱部材、２３…蓄熱部材（夏用）、２４…蓄熱部材（冬用）、２５…蓄熱部材（両用）、３１、３２…送風ファン、３３、３４…モーター、３５…送風ファン、３６…邪魔板、３７、３７ａ…送風ファン、３８…多孔蓄熱部材、３９、３９ａ…モーター、４０…換気装置、４２…スリーブ管
【図１】
2015203520.tif 000003
【図２】
2015203520.tif 000004
【図３】
2015203520.tif 000005
【図４】
2015203520.tif 000006
【図５】
2015203520.tif 000007
【図６】
2015203520.tif 000008
【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
第１の板と、
前記第１の板より屋内側に、前記第１の板に対向して配置され、且つ、開口部を有する第２の板と、
前記第２の板より屋内側に、前記第２の板に対向して配置された第３の板と、
前記第２の板の開口部に配置され、且つ、電源に接続されることにより前記第２の板の厚さ方向に熱移動するように配置されたペルチェ素子と、
前記第２の板と前記第３の板との間に配置された蓄熱部材と、
を具備する、建物の壁、床又は天井の構造であって、
前記第１の板に形成された第１の開口に接続され、前記第１の板と前記第２の板との間の空間を換気する第１の通気管と、
少なくとも前記第１の板に形成された第２の開口と前記第２の板に形成された第３の開口とに接続された第２の通気管と、
前記第２の通気管の内部に位置し、前記第２の板の厚さ方向に貫通した複数の孔を有する蓄熱部材と、
をさらに具備することを特徴とする建物の壁、床又は天井の構造。
【請求項２】
第１の板と、
前記第１の板より屋内側に、前記第１の板に対向して配置され、且つ、開口部を有する第２の板と、
前記第２の板より屋内側に、前記第２の板に対向して配置された第３の板と、
前記第３の板より屋内側に、前記第３の板に対向して配置された第４の板と、
前記第２の板の開口部に配置されており、且つ、電源に接続されることにより前記第２の板の厚さ方向に熱移動するように配置されたペルチェ素子と、
前記第３の板と前記第４の板との間に配置された蓄熱部材と、
を具備する、建物の壁、床又は天井の構造であって、
前記第１の板に形成された第１の開口に接続され、前記第１の板と前記第２の板との間の空間を換気する第１の通気管と、
少なくとも前記第１の板に形成された第２の開口と前記第２の板に形成された第３の開口とに接続された第２の通気管と、
前記第２の通気管の内部に位置し、前記第２の板の厚さ方向に貫通した複数の孔を有する蓄熱部材と、
をさらに具備することを特徴とする建物の壁、床又は天井の構造。